(57)【特許請求の範囲】
【請求項１】
被調理物を加熱する熱源を有する調理器本体と、
前記調理器本体への人体の接近を検出する人体センサーと、
前記熱源が加熱動作状態であるか否かを報知する報知手段と、
前記報知手段を制御する制御手段と、
前記調理器本体の上面に配置され、前記熱源の加熱状態に関する情報を表示する上面表示部と、
を備え、
前記報知手段は、
前記調理器本体の前面に配置され、前記熱源が加熱動作状態であるか否かの表示をする前面表示部を有し、
前記制御手段は、
前記熱源が加熱動作中であって、前記人体センサーが人体の接近を所定時間以上検出しない場合、前記前面表示部により前記熱源が加熱動作状態である旨の表示をさせ、
前記人体センサーが人体の接近を検出した場合、前記上面表示部により前記熱源の加熱状態に関する情報を表示させ、前記前面表示部の表示出力の一部または全部を中止させる
ことを特徴とする加熱調理器。
【請求項２】
前記制御手段は、
前記熱源が加熱動作中であって、前記人体センサーが人体の接近を所定時間以上検出しない場合、前記上面表示部の表示出力の一部または全部を中止または抑制させる
ことを特徴とする請求項１記載の加熱調理器。
【請求項３】
前記報知手段による報知を中断させる操作を入力する報知中断指示入力手段を備え、
前記制御手段は、
前記報知中断指示入力手段からの操作入力により、前記報知手段による報知を所定時間の間、中止させる
ことを特徴とする請求項１または２記載の加熱調理器。
【発明の詳細な説明】
【技術分野】
【０００１】
本発明は、人体センサーを有する加熱調理器に関するものである。
【背景技術】
【０００２】
従来の加熱調理器においては、例えば、「…人体センサーを備え、使用者が誘導加熱装置を操作する場合に操作部の収納解除を行うとともに表示部のバックライトを点灯させ、使用者が前記誘導加熱装置から任意の距離または時間離れた場合には前記バックライトを消灯させ、使用者がその設定された距離以内に入った場合には前記バックライトを点灯させる構成とした」ものが提案されている（例えば、特許文献１参照）。
【先行技術文献】
【特許文献】
【０００３】
【特許文献１】特開２００７−１５７３７７号公報（請求項９）
【発明の概要】
【発明が解決しようとする課題】
【０００４】
前述した従来の加熱調理器においては、使用者が加熱調理器から離れた場合に表示部のバックライトを消灯するので、その分、消費電力を低減し、また、バックライトの寿命を延ばすことができる。しかし、保温加熱や煮込み加熱など、被調理物を低火力で継続加熱している場合に使用者がその加熱調理器から離れると、加熱調理器が加熱動作中であるか否かが周囲にいる人にわかり難い、という問題点があった。また、使用者が加熱動作状態にあることを失念して被加熱物等を焦げ付かせてしまう虞がある、という問題点があった。さらに、表示部は、一般に使用者が加熱調理器を操作できる位置にいる場合に見やすい位置に配置されており、加熱調理器から離れた位置からはその動作状態の表示を確認することが困難な場合が多い、という問題点があった。
【０００５】
本発明は、上記のような課題を解決するためになされたもので、使用者が加熱調理器から離れた場合に、当該加熱調理器が加熱動作状態であるか否かを認識しやすくすることができる加熱調理器を提供することを目的とする。
【課題を解決するための手段】
【０００６】
本発明の加熱調理器は、被調理物を加熱する熱源を有する調理器本体と、前記調理器本体への人体の接近を検出する人体センサーと、前記熱源が加熱動作状態であるか否かを報知する報知手段と、前記報知手段を制御する制御手段と、前記調理器本体の上面に配置され、前記熱源の加熱状態に関する情報を表示する上面表示部と、を備え、前記報知手段は、前記調理器本体の前面に配置され、前記熱源が加熱動作状態であるか否かの表示をする前面表示部を有し、前記制御手段は、前記熱源が加熱動作中であって、前記人体センサーが人体の接近を所定時間以上検出しない場合、前記前面表示部により前記熱源が加熱動作状態である旨の表示をさせ、前記人体センサーが人体の接近を検出した場合、前記上面表示部により前記熱源の加熱状態に関する情報を表示させ、前記前面表示部の表示出力の一部または全部を中止させるものである。
【発明の効果】
【０００７】
本発明は、熱源が加熱動作中であって、人体センサーが人体の接近を所定時間以上検出しない場合、熱源が加熱動作状態である旨を報知する。このため、使用者が加熱調理器から離れた場合に、当該加熱調理器が加熱動作状態であるか否かを認識しやすくすることができる。
【図面の簡単な説明】
【０００８】
【図１】本発明の実施の形態１に係る加熱調理器の斜視図である。
【図２】本発明の実施の形態１に係る加熱調理器の機能ブロック図である。
【図３】本発明の実施の形態１に係る加熱調理器の動作を示すフローチャートである。
【図４】本発明の実施の形態１に係る加熱調理器の動作を示す別のフローチャートである。
【図５】本発明の実施の形態２に係る加熱調理器の動作を示すフローチャートである。
【図６】本発明の実施の形態２に係る加熱調理器の動作を示す別のフローチャートである。
【図７】本発明の実施の形態３に係る加熱調理器の斜視図である。
【図８】本発明の実施の形態３に係る加熱調理器の機能ブロック図である。
【図９】本発明の実施の形態３に係る加熱調理器の動作を示すフローチャートである。
【図１０】本発明の実施の形態３に係る加熱調理器の動作を示す別のフローチャートである。
【図１１】本発明の実施の形態４に係る加熱調理器の機能ブロック図である。
【図１２】本発明の実施の形態４に係る加熱調理器の動作を示すフローチャートである。
【発明を実施するための形態】
【０００９】
実施の形態１．
図１は本発明の実施の形態１に係る加熱調理器の斜視図である。
図２は本発明の実施の形態１に係る加熱調理器の機能ブロック図である。
図１、図２において、１は加熱調理器であるＩＨクッキングヒータであり、箱状の本体２の天面に、図示しない調理鍋等の被加熱物を載置して加熱調理を行う。３は本体２天面に備えた非磁性材よりなる耐熱ガラスにて形成されたトッププレートである。このトッププレート３は外周に設けられた枠体４に保持されている。トッププレート３の下方には、加熱調理器１の手前側左右に配設され、大径加熱コイルにより構成された左ヒータ加熱部５ａおよび右ヒータ加熱部５ｂが設けられている。この左ヒータ加熱部５ａおよび右ヒータ加熱部５ｂは、大径加熱コイルに流す高周波電流により、トッププレート３に載置された被加熱物を電磁誘導加熱する。さらに、トッププレート３の下方には、左ヒータ加熱部５ａと右ヒータ加熱部５ｂとの中間奥に配置され、小径加熱コイルにより構成された中央ヒータ加熱部５ｃが設けられている。この中央ヒータ加熱部５ｃは、小径加熱コイルに流す高周波電流により、トッププレート３に載置された被加熱物を誘導加熱する。５ｄは調理庫を備えた両面焼きのロースターである。なお、左ヒータ加熱部５ａ、右ヒータ加熱部５ｂ、中央ヒータ加熱部５ｃ、およびロースター５ｄは、熱源５を構成する。なお、「本体２」は、本発明における「調理器本体」に相当する。
【００１０】
なお、本実施の形態では、本発明の加熱調理器として、ロースター付きＩＨクッキングヒータ（誘導加熱調理器）を説明するが、本発明はこれに限るものではなく、例えば電気抵抗体等の加熱体により被加熱物を加熱するようにしても良いし、ガスを熱源として被加熱物を加熱するようにしても良い。
【００１１】
６ａはトッププレート３周囲の枠体４の手前側に設けられた上面操作部である。上面操作部６ａは、ロースター５ｄや各ヒータ加熱部５ａ〜５ｃの入／切や火力調節等の操作ボタンが配設されている。６ｂは本体２の前面側のロースター５ｄ右側に設けられた電源スイッチである。電源スイッチ６ｂは、加熱調理器１の主電源をオン／オフする。なお、上面操作部６ａおよび電源スイッチ６ｂは、操作部６を構成する。
【００１２】
また、本体２の前面側のロースター５ｄ右側には、主電源の入切状態を表示する電源ランプ７ａと、熱源５が加熱動作状態である旨の表示をする前面液晶表示部７ｂと、本体２への人体の接近を検出する人体センサー８と、報知音を出力するスピーカー９ａとを備える。なお、電源ランプ７ａおよび前面液晶表示部７ｂは、前面表示部７を構成する。なお、スピーカー９ａは、報知音発生手段９を構成する。
【００１３】
１０ａはトッププレート３上に設けられた火力表示部である。火力表示部１０ａは、左ヒータ加熱部５ａ、右ヒータ加熱部５ｂ、中央ヒータ加熱部５ｃの通電状態および火力を表示する。１０ｂはトッププレート３上に設けられた上面液晶表示部である。上面液晶表示部１０ｂは調理モードなどを表示する。なお、火力表示部１０ａおよび上面液晶表示部１０ｂは、上面表示部１０を構成する。上面表示部１０は熱源５の加熱状態に関する情報を表示する。
【００１４】
なお、上面表示部１０とは本体２の上方から視認できる表示部を言い、前面表示部７とは本体２の前方から視認できる表示部を言う。つまり、使用者が加熱調理器１の近くにいる場合には、上面表示部１０は使用者の位置から見やすく、前面表示部７は使用者の位置から見にくい配置となっている。また、使用者が加熱調理器１の近くにいない場合（離れた位置の場合）には、上面表示部１０は使用者の位置から見にくく、前面表示部７は使用者の位置から見やすい配置となっている。
【００１５】
１１は加熱調理器全体を制御する制御手段である。制御手段１１は、操作部６の電源スイッチ６ｂや上面操作部６ａからの操作入力と、人体センサー８からの入力信号に基づき、熱源５を駆動するとともに、上面表示部１０、前面表示部７、および報知音発生手段９を制御して、加熱動作状態を表示等する。なお、制御手段１１はタイマ機能を内蔵する。なお、本実施の形態１における「前面表示部７」は、本発明における「報知手段」を構成する。また、本実施の形態１における前面表示部７による表示は、本発明における「報知」に相当する。
【００１６】
次いで、本発明の実施の形態１に係る加熱調理器の動作を、図３のフローチャートを用いて説明する。
【００１７】
図３は本発明の実施の形態１に係る加熱調理器の動作を示すフローチャートである。
以下、図３の各ステップに基づき説明する。なお、加熱調理器１は電源スイッチ６ｂが操作されて電源が供給され、電源ランプ７ａを点灯させた状態であるとする。
まず、制御手段１１は操作部６の上面操作部６ａからヒータ加熱部５ａ〜５ｃやロースター５ｄの熱源５の加熱開始要求が入力されたか否か判断し（ステップ１）、入力がない場合にはそのまま待ち続ける。ステップ１で加熱開始要求があった場合には、人体センサー８が人体を感知しない時間を計測するための人感タイマをリセットする（ステップ２）。次に制御手段１１は、各ヒータ加熱部５ａ〜５ｃやロースター５ｄの熱源５が上面操作部６ａから設定された加熱出力となるように加熱出力制御処理を行う（ステップ３）。
【００１８】
次いで、制御手段１１は、人体センサー８が人体の接近を検出したか否かを判断する（ステップ４）。人体センサー８が人体の接近を検出していない場合には人感タイマのカウントを進め（ステップ５）、人体センサー８が人体の接近を検出していない時間が所定時間継続したか否かを判断する（ステップ６）。人体の接近を検出していない時間が所定時間継続していない場合にはステップ１０へ移行する。
【００１９】
一方、ステップ６で、人体の接近を検出していない時間が所定時間継続していた場合には、制御手段１１は、前面表示部７の前面液晶表示部７ｂに、熱源５が加熱動作状態である旨の表示をさせる（ステップ７）。この加熱動作状態である旨の表示としては、例えば、熱源５の各ヒータ加熱部５ａ〜５ｃやロースター５ｄのそれぞれの使用状況（動作の有無）を表示しても良いし、前面液晶表示部７ｂのバックライトを点灯若しくは点滅させたり、表示の輝度を増加させるようにしても良い。次に、制御手段１１は、上面表示部１０の火力表示部１０ａおよび上面液晶表示部１０ｂの表示出力の一部または全部を中止（消灯）または抑制させる（ステップ８）。そして、ステップ１２へ移行する。なお、表示出力の抑制とは、例えば、上面液晶表示部１０ｂの輝度の低下またはバックライトの輝度低下若しくは消灯などをいう。
【００２０】
このように加熱調理器１の加熱動作中に所定時間以上の間、使用者が加熱調理器１の近くにいない場合には、離れた位置から見得る前面表示部７に熱源５の使用状態（加熱動作状態）を表示するとともに、離れた位置から見にくい上面表示部１０の表示を消去する。
【００２１】
ステップ４で、人体センサー８が人体の接近を検出した場合には、制御手段１１は、人体センサー８が人体の接近を検出しない時間を計測するための人感タイマをリセットする（ステップ９）。次いで、制御手段１１は、上面表示部１０により熱源５の加熱状態に関する情報を表示させる（ステップ１０）。この加熱状態に関する情報の表示としては、例えば、火力表示部１０ａにより、熱源５の各ヒータ加熱部５ａ〜５ｃやロースター５ｄの通電状態および火力等を表示したり、上面液晶表示部１０ｂにより、各熱源５の調理モードなどを表示する。次に、制御手段１１は、前面液晶表示部７ｂの表示出力の一部または全部を中止（消灯）させる（ステップ１１）。そして、ステップ１２へ移行する。
【００２２】
このように加熱調理器１の加熱動作中に使用者が加熱調理器１の近くにいる場合には、使用者の位置から見やすい上面表示部１０に各熱源５の加熱動作状態を表示するとともに、使用者の位置から見難い前面表示部７の表示を消去する。
【００２３】
次に、制御手段１１は、上面操作部６ａからの加熱停止要求の入力により熱源５の加熱出力を全て停止させる状態か否か判断する（ステップ１２）。熱源５の各ヒータ加熱部５ａ〜５ｃおよびロースター５ｄのうち、いずれかの熱源の加熱出力を行う状態であればステップ３へ戻り、上述した動作を継続する。一方、ステップ１２で、熱源５の各ヒータ加熱部５ａ〜５ｃおよびロースター５ｄの全ての加熱出力を停止する状態であった場合には、熱源の出力を停止し、前面表示部７や上面表示部１０の表示出力を加熱停止状態とする（ステップ１３）。そして、ステップ１へ戻り、上述の動作を繰り返す。
【００２４】
なお、本実施の形態１では、人体の接近を検出していない時間が所定時間継続していた場合に、ステップ７で前面表示部７の前面液晶表示部７ｂに熱源５が加熱動作状態である旨の表示をし、ステップ８で上面表示部１０の表示出力の一部または全部を中止（消灯）または抑制させる動作について説明したが、本発明はこれに限るものではなく、ステップ８を省略して、ステップ７のみを行うようにしても良い。
【００２５】
以上のように本実施の形態においては、熱源５が加熱動作中であって、人体センサー８が人体の接近を所定時間以上検出しない場合、前面表示部７により熱源５が加熱動作状態である旨の表示をさせる。
このため、使用者が加熱調理器１から離れた場合に、当該加熱調理器１が加熱動作状態であるか否かを認識しやすくすることができる。
また、加熱調理器１の周囲の人に加熱動作状態にあることを認識させることができる。
また、加熱動作状態にあることを認識させることができるので、加熱動作状態にあることを失念して被加熱物等を焦げ付かせてしまうことを低減することができる。
また、前面表示部７を本体２の前面に配置しているので、使用者は加熱調理器１から離れた位置から熱源５が加熱動作状態である旨の表示を認識しやすい。
【００２６】
また、人体センサー８が人体の接近を検出した場合、上面表示部１０により熱源５の加熱状態に関する情報を表示させ、前面表示部７の表示出力の一部または全部を中止する。
このため、使用者が加熱調理器１の近くにいる場合には、上面表示部１０により熱源５の加熱状態を認識することができる。
また、上面表示部１０を本体２の上面に配置しているので、加熱調理器１の近くにいる使用者が熱源５の加熱状態の表示を認識しやすい。
また、使用者が加熱調理器１の近くにいる場合には前面表示部７の表示出力の一部または全部を中止するので、不要な表示を消灯して電力消費を削減し、前面表示部７の部品の寿命を延ばすことができる。
【００２７】
また、熱源５が加熱動作中であって、人体センサー８が人体の接近を所定時間以上検出しない場合、上面表示部１０の表示出力の一部または全部を中止または抑制する。
このため、使用者が加熱調理器１の近くにいない場合には認識しにくい上面表示部１０の表示出力の一部または全部を中止または抑制することができ、不要な電力使用を削減し、上面表示部１０の部品寿命を延ばすことができる。
【００２８】
なお、上述したステップ７において、前面表示部７に熱源５の加熱動作状態を表示する際には、その前面表示部７の表示を輝度アップさせたり、点滅表示させたりして、強調表示するようにしても良い。これにより、一層、加熱調理器１の周囲の人に加熱調理器１が加熱動作中であることを気づかせることができる。
【００２９】
なお、上記図３のフローチャートでは、加熱動作中に所定時間以上の間、使用者が加熱調理器１の近くにいない場合には、必ず前面表示部７に各熱源５の使用状態を表示するようにしているが、その使用状態表示が使用者やその加熱調理器１の周囲の人にとって視覚的にちらついたりして煩わしい場合もある。そこで、所定の時間、前面表示部への使用状態表示を行わないようにしてもよい。以下、このような動作の例を図４により説明する。
【００３０】
図４は本発明の実施の形態１に係る加熱調理器の動作を示す別のフローチャートである。なお、図４においては、図３のフローチャートと同一あるいは相当する処理については同一の符号を付しており、図３のフローチャートと同一の処理については説明を省略する。なお、上面操作部６ａには、前面表示部７による報知を中断させる操作を入力する報知中断ボタン（図示せず）を備える。なお、「報知中断ボタン」は、本発明における「報知中断指示入力手段」に相当する。
【００３１】
図４において、ステップ３で加熱出力制御処理を行った後、制御手段１１は、上面操作部６ａの報知中断ボタンからの入力の有無を判定する（ステップ３ａ）。報知中断ボタンからの操作入力があった場合には、前面液晶表示部７ｂに使用状態表示を所定時間行わないように報知中断タイマを設定する（ステップ３ｂ）。そして、ステップ６で、人体の接近を検出していない時間が所定時間継続していた場合には、報知中断タイマが設定されているか否か判断する（ステップ６ａ）。その結果、報知中断タイマが設定されていなかった場合にはステップ７へ移行する。一方、ステップ６ａで、報知中断タイマが設定されていた場合には、報知中断タイマのカウントを進め（ステップ６ｂ）、報知中断要求時間（本発明の「所定時間」に相当する。）が経過したかを判断し（ステップ６ｃ）、経過していた場合には報知中断タイマを解除して（ステップ６ｄ）、ステップ８へ移行する。なお、報知中断タイマを解除した状態で再度ステップ６ａが実行された場合には、ステップ７に移行して前面液晶表示部７ｂにより使用状態表示が行われることになる。
【００３２】
以上のように、報知中断ボタンからの操作入力により、前面液晶表示部７ｂによる表示を所定時間の間、中止させるので、使用者やその加熱調理器１の周囲の人にとって前面表示部７への使用状態表示が視覚的にちらついたりして視覚的に煩わしい場合には、所定の時間、その表示を停止することができる。
よって、視覚的な不快感を軽減しつつ、所定時間経過後には前面表示部７への使用状態表示を再開して、加熱調理器１の近くに使用者がいない場合には周囲の人が加熱中であることに気づきやすくした加熱調理器１を得ることができる。
なお、この場合も、使用状態表示を強調表示で行うこととしてもよい。
【００３３】
実施の形態２．
上記実施の形態１では、加熱調理器１の加熱動作中に使用者が加熱調理器１の近くにいない場合には、離れた位置から見得る前面表示部７に、熱源５が加熱動作状態であるか否かの表示（使用状態表示）をした。本実施の形態２では、加熱調理器１の加熱動作中に使用者が加熱調理器１の近くにいない場合には、報知音発生手段９により報知音を発生させることにより、その加熱調理器１の周囲の人にその加熱調理器１が加熱中であることを知らせる。
【００３４】
なお、本実施の形態２に係る加熱調理器１の構成は、上記実施の形態１に係る加熱調理器１の構成と同等であり、同一部分には同一の符号を付し、図示は省略する。なお、本実施の形態２における「上面表示部１０」は、本発明における「表示部」に相当する。また、本実施の形態２における報知音発生手段９による報知音の発生は、本発明における「報知」に相当する。
【００３５】
図５は本発明の実施の形態２に係る加熱調理器の動作を示すフローチャートである。なお、図５においては、図３のフローチャートと同一あるいは相当する処理については同一の符号を付しており、図３のフローチャートと同一の処理については説明を省略する。
【００３６】
以下、図５の各ステップに基づき、図３との相違点について説明する。なお、加熱調理器１は電源スイッチ６ｂが操作されて電源が供給され、電源ランプ７ａを点灯させた状態であるとする。
ステップ１〜６、９は上記実施の形態１と同一である。ステップ６で、人体の接近を検出していない時間が所定時間継続していた場合には、制御手段１１は、上面表示部１０および前面表示部７の表示出力の一部または全部を中止（消灯）または抑制する（ステップ８ａ）。なお、表示出力の抑制とは、例えば、上面液晶表示部１０ｂの輝度の低下またはバックライトの輝度低下若しくは消灯などをいう。次に、制御手段１１は、報知音発生手段９のスピーカー９ａにより、熱源５が加熱動作状態である旨の報知音を発生させる（ステップ８ｂ）。この加熱動作状態である旨の報知音としては、例えばブザー音でも良いし、音声メッセージでも良い。そして、ステップ１２へ移行する。
【００３７】
一方、ステップ６で、人体の接近を検出していない時間が所定時間継続していない場合には、上面表示部１０や前面表示部７により熱源５の加熱状態に関する情報を表示させる（ステップ１０ａ）。そして、ステップ１２へ移行する。以降のステップ１２、１３は上記実施の形態１と同一である。
【００３８】
なお、報知音の発生は、継続的に発生させると使用者やその加熱調理器の周囲の人にとって喧しく、煩わしいので、上記ステップ８ｂにおいては、制御手段１１に内蔵するタイマ機能を使用して所定時間間隔ごとに、報知音発生手段９により報知音を発生させるようにしても良い。
【００３９】
なお、本実施の形態２では、人体の接近を検出していない時間が所定時間継続していた場合に、ステップ８ａで表示出力の一部または全部を中止または抑制し、ステップ８ｂで熱源５が加熱動作状態である旨の報知音を発生させる動作について説明したが、本発明はこれに限るものではなく、ステップ８ａを省略して、ステップ８ｂのみを行うようにしても良い。
【００４０】
以上のように本実施の形態においては、熱源５が加熱動作中であって、人体センサー８が人体の接近を所定時間以上検出しない場合、報知音発生手段９により熱源５が加熱動作状態である旨の報知音を発生させる。
このため、使用者が加熱調理器１から離れた場合に、当該加熱調理器１が加熱動作状態であるか否かを認識しやすくすることができる。
また、加熱調理器１の周囲の人に加熱動作状態にあることを認識させることができる。
また、加熱動作状態にあることを認識させることができるので、加熱動作状態にあることを失念して被加熱物等を焦げ付かせてしまうことを低減することができる。
また、報知音発生手段９から報知音を発生させるので、使用者等が加熱調理器１を見ていない場合または見得る位置にいない場合であっても、加熱動作状態にあることを認識させることができる。
【００４１】
また、熱源５が加熱動作中であって、人体センサー８が人体の接近を所定時間以上検出しない場合、所定時間間隔ごとに、報知音発生手段９により報知音を発生させる。
このため、使用者が加熱調理器１から離れている場合において、その加熱動作状態を所定時間間隔で報知することができる。
また、その調理器の周囲の人に加熱状態にあることを認識させることができる。
また、報知音を継続的に発生させる場合と比較して、報知音が使用者等にとって喧しく、煩わしくない。
【００４２】
また、人体センサー８が人体の接近を検出した場合、上面表示部１０および前面表示部７により熱源５の加熱状態に関する情報を表示させる。
このため、使用者が加熱調理器１の近くにいる場合には、上面表示部１０および前面表示部７により熱源５の加熱状態を認識することができる。
【００４３】
また、熱源５が加熱動作中であって、人体センサー８が人体の接近を所定時間以上検出しない場合、上面表示部１０および前面表示部７の表示出力の一部または全部を中止または抑制する。
このため、使用者が加熱調理器１の近くにいない場合には、上面表示部１０および前面表示部７の表示出力の一部または全部を中止または抑制することができ、不要な電力使用を削減し、上面表示部１０および前面表示部７の部品寿命を延ばすことができる。
【００４４】
なお、上記図５のフローチャートでは、加熱動作中に所定時間以上の間、使用者が加熱調理器１の近くにいない場合には、必ず報知音を発生させることとすると、その報知音が使用者やその加熱調理器の周囲の人にとって喧しく、煩わしい場合もある。そのような場合には、加熱動作中の報知音の発生を所定の時間、行わないようにしてもよい。以下、このような動作の例を図６により説明する。
【００４５】
図６は本発明の実施の形態２に係る加熱調理器の動作を示す別のフローチャートである。なお、図６においては、図５のフローチャートと同一あるいは相当する処理については同一の符号を付しており、図５のフローチャートと同一の処理については説明を省略する。なお、上面操作部６ａには、報知音発生手段９による報知を中断させる操作を入力する報知中断ボタン（図示せず）を備える。なお、「報知中断ボタン」は、本発明における「報知中断指示入力手段」に相当する。
【００４６】
図６において、ステップ３で加熱出力制御処理を行った後、制御手段１１は、上面操作部６ａの報知中断ボタンからの入力の有無を判定する（ステップ３ａ）。報知中断ボタンからの操作入力があった場合には、報知音発生手段９による報知音の発生を所定時間行わないように報知中断タイマを設定する（ステップ３ｂ）。そして、ステップ６で、人体の接近を検出していない時間が所定時間継続していた場合には、報知中断タイマが設定されているか否か判断する（ステップ６ａ）。その結果、報知中断タイマが設定されていなかった場合にはステップ８ｂへ移行する。一方、ステップ６ａで、報知中断タイマが設定されていた場合には、報知中断タイマのカウントを進め（ステップ６ｂ）、報知中断要求時間（本発明の「所定時間」に相当する。）が経過したかを判断し（ステップ６ｃ）、経過していた場合には報知中断タイマを解除して（ステップ６ｄ）、ステップ１２へ移行する。なお、報知中断タイマを解除した状態で再度ステップ６ａが実行された場合には、ステップ８ｂに移行して報知音発生手段９により報知音が発生されることになる。
【００４７】
以上のように、報知中断ボタンからの操作入力により、報知音発生手段９による報知音の発生を所定時間の間、中止させるので、使用者やその加熱調理器１の周囲の人にとって報知音発生手段９による報知音が喧しく煩わしい場合には、所定の時間、その報知音を停止することができる。
よって、報知音による不快感を軽減しつつ、所定時間経過後には報知音発生手段９による報知音の発生を再開して、加熱調理器１の近くに使用者がいない場合には周囲の人が加熱中であることに気づきやすくした加熱調理器１を得ることができる。
【００４８】
実施の形態３．
図７は本発明の実施の形態３に係る加熱調理器の斜視図である。
図８は本発明の実施の形態３に係る加熱調理器の機能ブロック図である。
図７、図８においては、上記実施の形態１の図１および図２と同一の部分あるいは相当部分については同一の符号を付し、説明を省略する。
【００４９】
図７において、１２は加熱調理器の本体２と分離して設けられた遠隔モニタである。１３は本体２に設けられ、熱源５が加熱動作状態であるか否かの情報などを遠隔モニタ１２に送信する送信手段である。遠隔モニタ１２は、送信手段１３が送信する情報を受信する受信手段１４を備える。また、遠隔モニタ１２には、受信手段１４により受信された情報に基づき表示を出力する遠隔表示手段１５、および、受信手段１４により受信された情報に基づき報知音を発生させる遠隔報知音発生手段１６の少なくとも一方を備える。
【００５０】
本体２の制御手段１１は、上記実施の形態１の機能に加え、送信手段１３を制御し、少なくとも、熱源５が加熱動作状態である旨の情報を遠隔モニタ１２へ送信させる。そして、遠隔モニタ１２は、受信手段１４により受信した情報に基づき、遠隔表示手段１５により本体２の加熱動作状態を表示し、遠隔報知音発生手段１６により本体２の熱源５が加熱動作中である旨を報知する。なお、制御手段１１はタイマ機能を内蔵し、所定の時間間隔で報知音の発生を周期的にすることもできる。
【００５１】
なお、本実施の形態３における「上面表示部１０」は、本発明における「表示部」に相当する。また、本実施の形態３における遠隔表示手段１５による表示、および遠隔報知音発生手段１６による報知音の発生は、本発明における「報知」に相当する。
【００５２】
図９は本発明の実施の形態３に係る加熱調理器の動作を示すフローチャートである。なお、図９においては、上記実施の形態２に係る図５のフローチャートと同一あるいは相当する処理については同一の符号を付しており、図５のフローチャートと同一の処理については説明を省略する。
【００５３】
以下、図９の各ステップに基づき、図５との相違点について説明する。なお、加熱調理器１は電源スイッチ６ｂが操作されて電源が供給され、電源ランプ７ａを点灯させた状態であるとする。
ステップ１〜６、８ａ、９、１０ａは上記実施の形態２と同一である。ステップ６で、人体の接近を検出していない時間が所定時間継続していた場合、上面表示部１０および前面表示部７の表示出力の一部または全部を中止（消灯）または抑制し、（ステップ８ａ）、ステップ８ｃに移行する。ステップ８ｃでは、制御手段１１は、送信手段１３により熱源５が加熱動作状態である旨の情報を遠隔モニタ１２へ送信させ、遠隔表示手段１５および遠隔報知音発生手段１６の少なくとも一方により、熱源５が加熱動作状態である旨を報知させる（ステップ８ｃ）。そして、ステップ１２へ移行する。遠隔モニタ１２は、ステップ８ｃで送信手段１３から送信され、受信手段１４で受信した情報に基づき、遠隔表示手段１５に本体２の熱源５の加熱動作状態を表示し、遠隔報知音発生手段１６で本体２の熱源５が加熱動作中である旨の報知音を発生する。以降のステップ１２、１３は上記実施の形態２と同一である。
【００５４】
なお、本実施の形態３では、人体の接近を検出していない時間が所定時間継続していた場合に、ステップ８ａで表示出力の一部または全部を中止または抑制し、ステップ８ｃで熱源５が加熱動作状態である旨の報知をさせる動作について説明したが、本発明はこれに限るものではなく、ステップ８ａを省略して、ステップ８ｃのみを行うようにしても良い。
【００５５】
以上のように本実施の形態においては、熱源５が加熱動作中であって、人体センサー８が人体の接近を所定時間以上検出しない場合、送信手段１３により熱源５が加熱動作状態である旨の情報を送信させ、遠隔表示手段１５および遠隔報知音発生手段１６の少なくとも一方により、熱源５が加熱動作状態である旨を報知させる。
このため、使用者が加熱調理器１から離れた場合に、当該加熱調理器１が加熱動作状態であるか否かを認識しやすくすることができる。
また、加熱調理器１の周囲の人に加熱動作状態にあることを認識させることができる。
また、加熱動作状態にあることを認識させることができるので、加熱動作状態にあることを失念して被加熱物等を焦げ付かせてしまうことを低減することができる。
また、遠隔モニタ１２に配置された遠隔表示手段１５および遠隔報知音発生手段１６の少なくとも一方により報知するので、使用者が加熱調理器１を見得る位置にいない場合や本体２に設けられたスピーカー９ａからの報知音が届く範囲にいない場合であっても、遠隔モニタ１２を使用者等の近くに配置することで、加熱調理器１が加熱動作状態にあることを認識させることができる。
【００５６】
また、人体センサー８が人体の接近を検出した場合、上面表示部１０および前面表示部７により熱源５の加熱状態に関する情報を表示させる。
このため、使用者が加熱調理器１の近くにいる場合には、上面表示部１０および前面表示部７により熱源５の加熱状態を認識することができる。
【００５７】
また、熱源５が加熱動作中であって、人体センサー８が人体の接近を所定時間以上検出しない場合、上面表示部１０および前面表示部７の表示出力の一部または全部を中止または抑制する。
このため、使用者が加熱調理器１の近くにいない場合には、上面表示部１０および前面表示部７の表示出力の一部または全部を中止または抑制することができ、不要な電力使用を削減し、上面表示部１０および前面表示部７の部品寿命を延ばすことができる。
【００５８】
なお、上記図９のフローチャートでは、加熱動作中に所定時間以上の間、使用者が加熱調理器１の近くにいない場合には、必ず遠隔モニタ１２へ加熱動作情報の送信を行い、加熱動作状態を表示させたり、報知音を発生させたりすることとすると、その表示や報知音が使用者やその加熱調理器の周囲の人にとって喧しく、煩わしい場合もある。そのような場合には、加熱動作中に所定時間以上の間、使用者が加熱調理器の近くにいない場合であっても、本体２の熱源５の加熱動作情報を一時的に所定の時間、遠隔モニタ１２へ送信しないようにしてもよい。以下、このような動作の例を図１０により説明する。
【００５９】
図１０は本発明の実施の形態３に係る加熱調理器の動作を示す別のフローチャートである。なお、図１０においては、図９のフローチャートと同一あるいは相当する処理については同一の符号を付しており、図９のフローチャートと同一の処理については説明を省略する。なお、上面操作部６ａには、遠隔モニタ１２の遠隔表示手段１５や遠隔報知音発生手段１６による報知を中断させる操作を入力する報知中断ボタン（図示せず）を備える。なお、「報知中断ボタン」は、本発明における「報知中断指示入力手段」に相当する。
【００６０】
図１０において、ステップ３で加熱出力制御処理を行った後、制御手段１１は、上面操作部６ａの報知中断ボタンからの入力の有無を判定する（ステップ３ａ）。報知中断ボタンからの操作入力があった場合には、遠隔表示手段１５や遠隔報知音発生手段１６による報知を所定時間行わないように報知中断タイマを設定する（ステップ３ｂ）。そして、ステップ６で、人体の接近を検出していない時間が所定時間継続していた場合には、報知中断タイマが設定されているか否か判断する（ステップ６ａ）。その結果、報知中断タイマが設定されていなかった場合にはステップ８ｃへ移行する。一方、ステップ６ａで、報知中断タイマが設定されていた場合には、報知中断タイマのカウントを進め（ステップ６ｂ）、報知中断要求時間（本発明の「所定時間」に相当する。）が経過したかを判断し（ステップ６ｃ）、経過していた場合には報知中断タイマを解除して（ステップ６ｄ）、ステップ１２へ移行する。なお、報知中断タイマを解除した状態で再度ステップ６ａが実行された場合には、ステップ８ｃに移行して遠隔表示手段１５や遠隔報知音発生手段１６により報知がされることになる。
【００６１】
以上のように、報知中断ボタンからの操作入力により、遠隔モニタ１２に配置された遠隔表示手段１５や遠隔報知音発生手段１６による報知を所定時間の間、中止させるので、遠隔モニタ１２の近くにいる使用者等にとって、遠隔表示手段１５の使用状態表示が視覚的にちらついたりして視覚的に煩わしい場合や、遠隔報知音発生手段１６による報知音が喧しく煩わしい場合には、所定の時間、その表示や報知音を停止することができる。
よって、視覚的な不快感や報知音による不快感を軽減しつつ、所定時間経過後には遠隔表示手段１５や遠隔報知音発生手段１６による表示や報知音の発生を再開して、加熱調理器１の近くに使用者がいない場合には遠隔モニタ１２の近くにいる使用者等が加熱中であることに気づきやすくした加熱調理器１を得ることができる。
【００６２】
実施の形態４．
図１１は本発明の実施の形態４に係る加熱調理器の機能ブロック図である。
図１１においては、上記実施の形態１の図２と同一の部分あるいは相当部分については同一の符号を付し、説明を省略する。なお、本実施の形態４に係る加熱調理器１の外観については、実施の形態１に係る加熱調理器において図１に示した斜視図と同等であり、図示は省略する。
【００６３】
図１１において、本実施の形態４における電源ランプ７ａは、電源表示部１７を構成する。また、本実施の形態４における前面液晶表示部７ｂ、および上面表示部１０（火力表示部１０ａ、上面液晶表示部１０ｂ）は、出力表示部１８を構成する。なお、本実施の形態４における「出力表示部１８」は、本発明における「表示部」に相当する。なお、本実施の形態４における「電源表示部１７」は、本発明における「報知手段」を構成する。
【００６４】
図１２は本発明の実施の形態４に係る加熱調理器の動作を示すフローチャートである。なお、図１２においては、上記実施の形態１に係る図３のフローチャートと同一あるいは相当する処理については同一の符号を付しており、図３のフローチャートと同一の処理については説明を省略する。
【００６５】
以下、図１２の各ステップに基づき、図３との相違点について説明する。なお、加熱調理器１は電源スイッチ６ｂが操作されて電源が供給され、電源ランプ７ａを点灯させた状態であるとする。
ステップ１〜６、９は上記実施の形態１と同一である。ステップ６で、人体の接近を検出していない時間が所定時間継続していた場合、制御手段１１は、電源表示部１７の表示出力を変更させて熱源５が加熱動作状態である旨を報知させる（ステップ７ａ）。この加熱動作状態である旨の報知としては、例えば電源表示部１７の電源ランプ７ａの表示を周囲から目立つ強調表示とする。具体的には、電源ランプ７ａの輝度を高くしたり、点灯色を変えたり、点滅させたりして、周囲から動作していることを視認しやすくする。次いで、制御手段１１は、出力表示部１８の表示出力の一部または全部を中止（消灯）または抑制する（ステップ８ｄ）。なお、表示出力の抑制とは、例えば、出力表示部１８の輝度の低下またはバックライトの輝度低下若しくは消灯などをいう。そして、ステップ１２へ移行する。
【００６６】
一方、ステップ６で、人体の接近を検出していない時間が所定時間継続していない場合には、出力表示部１８により熱源５の加熱状態に関する情報を表示させる（ステップ１０ｂ）。次に、制御手段１１は、電源表示部１７を通常の表示状態で表示させる（ステップ１１ａ）。そして、ステップ１２へ移行する。以降のステップ１２、１３は上記実施の形態１と同一である。
【００６７】
なお、本実施の形態４では、人体の接近を検出していない時間が所定時間継続していた場合に、ステップ７ａで熱源５が加熱動作状態である旨の報知をし、ステップ８ｄで表示出力の一部または全部を中止または抑制する動作について説明したが、本発明はこれに限るものではなく、ステップ８ｄを省略して、ステップ７ａのみを行うようにしても良い。
【００６８】
以上のように本実施の形態においては、熱源５が加熱動作中であって、人体センサー８が人体の接近を所定時間以上検出しない場合、電源表示部１７の表示出力を変更させて熱源５が加熱動作状態である旨を報知させる。
このため、使用者が加熱調理器１から離れた場合に、当該加熱調理器１が加熱動作状態であるか否かを認識しやすくすることができる。
また、加熱調理器１の周囲の人に加熱動作状態にあることを認識させることができる。
また、加熱動作状態にあることを認識させることができるので、加熱動作状態にあることを失念して被加熱物等を焦げ付かせてしまうことを低減することができる。
【００６９】
また、人体センサー８が人体の接近を検出した場合、出力表示部１８により熱源５の加熱状態に関する情報を表示させる。
このため、使用者が加熱調理器１の近くにいる場合には、出力表示部１８により熱源５の加熱状態を認識することができる。
【００７０】
また、熱源５が加熱動作中であって、人体センサー８が人体の接近を所定時間以上検出しない場合、出力表示部１８の表示出力の一部または全部を中止または抑制する。
このため、使用者が加熱調理器１の近くにいない場合には、出力表示部１８の表示出力の一部または全部を中止または抑制することができ、不要な電力使用を削減し、出力表示部１８の部品寿命を延ばすことができる。
【符号の説明】
【００７１】
１  加熱調理器、２  本体、３  トッププレート、４  枠体、５  熱源、５ａ  左ヒータ加熱部、５ｂ  右ヒータ加熱部、５ｃ  中央ヒータ加熱部、５ｄ  ロースター、６  操作部、６ａ  上面操作部、６ｂ  電源スイッチ、７  前面表示部、７ａ  電源ランプ、７ｂ  前面液晶表示部、８  人体センサー、９  報知音発生手段、９ａ  スピーカー、１０  上面表示部、１０ａ  火力表示部、１０ｂ  上面液晶表示部、１１  制御手段、１２  遠隔モニタ、１３  送信手段、１４  受信手段、１５  遠隔表示手段、１６  遠隔報知音発生手段、１７  電源表示部、１８  出力表示部。
【図１】
0005506565.tif 000002
【図２】
0005506565.tif 000003
【図３】
0005506565.tif 000004
【図４】
0005506565.tif 000005
【図５】
0005506565.tif 000006
【図６】
0005506565.tif 000007
【図７】
0005506565.tif 000008
【図８】
0005506565.tif 000009
【図９】
0005506565.tif 000010
【図１０】
0005506565.tif 000011
【図１１】
0005506565.tif 000012
【図１２】
0005506565.tif 000013